(57)【要約】【課題】  水波振動マッサージベッドの提供。【解決手段】  ベッドにサイドフレームが設けられ、一端内に伝動機構の制御箱が設けられ、制御箱に制御スイッチセットが設けられ、上述のサイドフレームが内側に向いた底板を包含し、両側の底板の上方空間にタップ装置が取り付けられる。上述の制御箱内部に設けられる伝動機構が両側のタップ装置の縦向き軸を駆動する。上述の両側のタップ装置は縦向き軸に取り付けられた複数のタップ部品を包含し、各タップ部品に上述の縦向き軸を通す中心孔が設けられる。タップ部品の外周に少なくともタップ部が設けられ、ウォーターベッドマットレスがサイドフレームの間に設けられ、並びに両側の局部幅の両側タップ部品の下方に位置し、上述のタップ部品の回転タッピングを受け、人体に対して反復振動と波動按摩効果を発生する。【選択図】        図１
0003116868.tif 000002
【実用新案登録請求の範囲】
【請求項１】
水波振動マッサージベッドにおいて、ベッドの両側にサイドフレームが設けられ、一端内に伝動機構の制御箱が設けられ、制御箱内に制御スイッチセットが設けられ、上述の両側のサイドフレームそれぞれに内側に向いた底板があり、両側底板の上方空間にタッピング装置が取り付けられ、上述の制御箱内部の伝動機構が両側のタッピング装置の縦向き軸を駆動し、上述の両側のタッピング装置は、複数の、縦向き軸に取り付けられたタッピング部品を包含し、各タッピング部品はいずれも上述の縦向き軸の中心孔に挿入、位置決めされ、上述のタッピング部品の外周に少なくとも一つのタッピング部が設けられ、ウォーターベッドマットレスは上述のサイドフレームの間に設けられ、並びにその両側に接近する局部幅が両側のタッピング部品下方に位置して上述のタッピング部品の回転タッピングを受けることを特徴とする、水波振動マッサージベッド。
【請求項２】
請求項１記載の水波振動マッサージベッドにおいて、両側のタッピング部品のタッピング部は反対方向に離間設置された偏心フランジとされることを特徴とする、水波振動マッサージベッド。
【請求項３】
請求項１記載の水波振動マッサージベッドにおいて、両側のタッピング部品のタッピング部は反対方向に離間設置され、そのタッピング部品外周に偏心サポートフレームが設けられ、タッピング用ローラの取り付けに供されることを特徴とする、水波振動マッサージベッド。
【請求項４】
請求項１記載の水波振動マッサージベッドにおいて、両側のタッピング部品とウォーターベッドマットレスの間に対応数量の補助プッシュ部品が設けられ、各補助プッシュ部品はいずれも下辺偏心凸圧部を有し、補助プッシュ部品の外側には位置決め孔が設けられ、ボルトで対応側のフレームに固定され、タッピング部により補助プッシュ部品が下向きにタッピングすることを特徴とする、水波振動マッサージベッド。
【請求項５】
請求項１記載の水波振動マッサージベッドにおいて、各タッピング部品両端に対応する係止肩部と凹部が設けられていることを特徴とする、水波振動マッサージベッド。
【請求項６】
請求項１記載の水波振動マッサージベッドにおいて、制御箱内部の伝動機構は、電動機を包含し、該電動機はプーリとベルト駆動用の横向き軸を具え、この横向き軸の両端は歯車で両側のタッピング装置の縦向き軸の伝動歯車に接合され、サイドフレームはそれぞれ前後の端板を具え、上述の両側の縦向き軸は上述は端板部分の対応する軸受に挿入されていることを特徴とする、水波振動マッサージベッド。
【請求項７】
請求項６記載の水波振動マッサージベッドにおいて、両側のサイドフレームそれぞれが前後の端板を具え、両側の縦向き軸が端板の対応する軸受に挿入されたことを特徴とする、水波振動マッサージベッド。
【請求項８】
請求項１記載の水波振動マッサージベッドにおいて、ウォーターベッドマットレスが複数の水袋格子に分割され、並びに両側に対応する数量のタッピング部が設けられたことを特徴とする、水波振動マッサージベッド。
【考案の詳細な説明】
【技術分野】
【０００１】
本考案は水波振動マッサージベッドに係り、特に、ウォーターベッドマットレスに対して振動タッピングを形成する水波振動マッサージベッドに関する。
【背景技術】
【０００２】
現代人は栄養過剰で運動が欠乏し、肥満の人口比率は不断に上昇している。肥満は外観が悪いのみならず、各種の人体に不利な疾病を発生しやすい。
【０００３】
過度の肥満を防止するためには、ダイエット以外に、適度な運動も不可欠の条件である。これにより、市場には各種の運動器材があり、運動者に器材上で不断に熱エネルギーを消化する動作を反復して行わせることで、エクササイズ効果を達成できるものとされている。
【０００４】
ただし、現在ある関係する運動器材中、そのほとんどは、使用者が自分で不断に運動器材を運転してエクササイズ効果を達成するものである。即ち、使用者自身が器材上で不断に関係動作を行わねば、運動エクササイズ機能を達成できない。特に、使用者が仰臥した休息状態のとき、周知のこのような関係運動器材は、主動的には使用者に運動作用を提供できない。
【考案の開示】
【考案が解決しようとする課題】
【０００５】
本考案の目的は、水波振動マッサージベッドを提供することにあり、それはウォーターベッドマットレスに対して反復する持続的な振動と波動を形成し、主動的に使用者の筋肉、皮膚及び関係身体部分、例えば腹部、臀部、背部、腿部、及び胸部などに有効な運動を形成させ、脂肪を消化させ、脂肪減少などの按摩効果を形成させるものである。
【０００６】
上述の目的のため、本考案のベッドには両側のサイドフレームが設けられ、及び一端内に伝動機構の制御箱が設けられ、上述の制御箱に制御スイッチセットが設けられている。上述のサイドフレームはそれぞれ内側に向いた底板があり、両側底板の上方空間に関係タッピング装置が取り付けられている。上述の制御箱内部の伝動機構が両側のタッピング装置の縦向き軸を駆動する。上述の両側のタッピング装置は、複数の、縦向き軸に取り付けられたタッピング部品を包含し、各タッピング部品はいずれも上述の縦向き軸の中心孔に挿入、位置決めされている。上述のタッピング部品の外周に少なくとも一つのタッピング部が設けられている。ウォーターベッドマットレスは上述のサイドフレームの間に設けられ、並びにその両側に接近する局部幅が両側のタッピング部品下方に位置して上述のタッピング部品の回転タッピングを受ける。
【０００７】
好ましい実施例によると、上述の両側のタッピング部品のタッピング部は反対方向に離間設置された偏心フランジとされる。
【０００８】
可能な実施例では、上述の両側のタッピング部品のタッピング部は反対方向に離間設置され、そのタッピング部品外周に偏心サポートフレームが設けられ、タッピング用ローラの取り付けに供される。
【０００９】
上述の両側のタッピング部品とウォーターベッドマットレスの間に対応数量の補助プッシュ部品が設けられ、各補助プッシュ部品はいずれも下辺偏心凸圧部を有し、補助プッシュ部品の外側には位置決め孔が設けられ、ボルトで対応側のフレームに固定され、タッピング部により補助プッシュ部品が下向きにタッピングする。
【００１０】
上述の各タッピング部品両端に対応する係止肩部と凹部が設けられている。
可能な実施例において、上述の制御箱内部の伝動機構は、電動機を包含し、該電動機はプーリとベルト駆動用の横向き軸を具えている。この横向き軸の両端は歯車で両側のタッピング装置の縦向き軸の伝動歯車に接合されている。上述のサイドフレームはそれぞれ前後の端板を具え、上述の両側の縦向き軸は上述は端板部分の対応する軸受に挿入されている。
【課題を解決するための手段】
【００１１】
請求項１の考案は、水波振動マッサージベッドにおいて、ベッドの両側にサイドフレームが設けられ、一端内に伝動機構の制御箱が設けられ、制御箱内に制御スイッチセットが設けられ、上述の両側のサイドフレームそれぞれに内側に向いた底板があり、両側底板の上方空間にタッピング装置が取り付けられ、上述の制御箱内部の伝動機構が両側のタッピング装置の縦向き軸を駆動し、上述の両側のタッピング装置は、複数の、縦向き軸に取り付けられたタッピング部品を包含し、各タッピング部品はいずれも上述の縦向き軸の中心孔に挿入、位置決めされ、上述のタッピング部品の外周に少なくとも一つのタッピング部が設けられ、ウォーターベッドマットレスは上述のサイドフレームの間に設けられ、並びにその両側に接近する局部幅が両側のタッピング部品下方に位置して上述のタッピング部品の回転タッピングを受けることを特徴とする、水波振動マッサージベッドとしている。
請求項２の考案は、請求項１記載の水波振動マッサージベッドにおいて、両側のタッピング部品のタッピング部は反対方向に離間設置された偏心フランジとされることを特徴とする、水波振動マッサージベッドとしている。
請求項３の考案は、請求項１記載の水波振動マッサージベッドにおいて、両側のタッピング部品のタッピング部は反対方向に離間設置され、そのタッピング部品外周に偏心サポートフレームが設けられ、タッピング用ローラの取り付けに供されることを特徴とする、水波振動マッサージベッドとしている。
請求項４の考案は、請求項１記載の水波振動マッサージベッドにおいて、両側のタッピング部品とウォーターベッドマットレスの間に対応数量の補助プッシュ部品が設けられ、各補助プッシュ部品はいずれも下辺偏心凸圧部を有し、補助プッシュ部品の外側には位置決め孔が設けられ、ボルトで対応側のフレームに固定され、タッピング部により補助プッシュ部品が下向きにタッピングすることを特徴とする、水波振動マッサージベッドとしている。
請求項５の考案は、請求項１記載の水波振動マッサージベッドにおいて、各タッピング部品両端に対応する係止肩部と凹部が設けられていることを特徴とする、水波振動マッサージベッドとしている。
請求項６の考案は、請求項１記載の水波振動マッサージベッドにおいて、制御箱内部の伝動機構は、電動機を包含し、該電動機はプーリとベルト駆動用の横向き軸を具え、この横向き軸の両端は歯車で両側のタッピング装置の縦向き軸の伝動歯車に接合され、サイドフレームはそれぞれ前後の端板を具え、上述の両側の縦向き軸は上述は端板部分の対応する軸受に挿入されていることを特徴とする、水波振動マッサージベッドとしている。
請求項７の考案は、請求項６記載の水波振動マッサージベッドにおいて、両側のサイドフレームそれぞれが前後の端板を具え、両側の縦向き軸が端板の対応する軸受に挿入されたことを特徴とする、水波振動マッサージベッドとしている。
請求項８の考案は、請求項１記載の水波振動マッサージベッドにおいて、ウォーターベッドマットレスが複数の水袋格子に分割され、並びに両側に対応する数量のタッピング部が設けられたことを特徴とする、水波振動マッサージベッドとしている。
【考案の効果】
【００１２】
本考案は、水波振動マッサージベッドを提供することにあり、それはウォーターベッドマットレスに対して反復する持続的な振動と波動を形成し、主動的に使用者の筋肉、皮膚及び関係身体部分、例えば腹部、臀部、背部、腿部、及び胸部などに有効な運動を形成させ、脂肪を消化させ、脂肪減少などの按摩効果を形成させるものである。
【考案を実施するための最良の形態】
【００１３】
図１〜図３に示されるように、本考案のベッドには一体にその内部に関係する伝動機構の制御箱１０が設けられ、この制御箱１０には箱蓋１１と、電源線１３、及び関係する外付け制御スイッチセットが設けられ、それは電源スイッチ１４、タイマー１５、及び調速器１６を包含しうる。
【００１４】
上述の制御箱１０はベッド両側に設定長さのサイドフレーム２０、２１が設けられ、これらサイドフレーム２０、２１は、内側に向いた底板２２と前後端板２３を包含し、両側に特定サイズの対応空間が形成され、関係するタッピング装置が取り付けられている。図示される実施例において、上述のサイドフレーム２０、２１にはエンドサポートロッド２９が設けられ、並びに複数のサポートボード２６が多段式内空間を形成し、各空間にヒンジ２８で可動式に保護カバー２７が枢設されている。
【００１５】
上述の制御箱１０内部の伝動機構は、電動機３０を包含し、図示されるように、該電動機３０は、対応するプーリ３１、３３及び駆動ベルト３２を包含し、横向き軸３４を駆動し、該横向き軸３４の両端に歯車３５、３６が設けられ、両側の対応するタッピング装置の縦向き軸４０、４１を駆動するための伝動歯車４２、４３と接合されている。図２、３に示される実施例では、伝動歯車４２、４３は縦向き軸４０、４１を駆動し回転させるのに用いられ、その軸身は、二対の半軸４４、４５で構成され、その後、ボルト２４が端板２３の貫通孔２５を通して制御箱１０の関係位置のネジ孔１２中にねじ込まれる。
【００１６】
図示される実施例中、上述の両側のタッピング装置は、複数段の、縦向き軸４０、４１に取り付けられたタッピング部品５０で構成される。これらタッピング部品５０は、プラスチック或いはゴムのような材料で形成され、図示される実施例では、各タッピング部品５０い縦向き軸４０、４１が通される中心孔５１と、径方向ネジ孔５３を通してネジ５４で縦向き軸４０、４１に結合される。またこの実施例のタッピング部品５０の外周には複数の、反対方向に等間隔に偏心フランジ５２が設けられて、タッピング部５２とされる。図示される実施例では、いわゆる反対方向設置は作動状態下で、タッピング部品５０の第１偏心フランジ５２が上向きとされれば、それに隣り合う第２偏心フランジ５２は下向きとされ、こうして連続して上下に順に設置される。図３、４、５に示されるように、両側のタッピング部品５０の偏心フランジ５２もまた相互に反対方向に設置され、即ち、作動状態下で、そのうち一側のタッピング部品５０の偏心フランジ５２が上向きであれば、即ちそれに対応する別側のタッピング部品５０の偏心フランジ５２は下向きとされる。
【００１７】
図１、４に示されるように、特定サイズのウォーターベッドマットレス６０は、上述のサイドフレーム２０、２１の間に設けられ、並びにその両側に接近する局部の幅が両側のタッピング部品５０及びその偏心フランジ５２の下方（図４）に位置し、並びにウォーターベッドマットレス６０の両側に粘着帯６２が設けられ、サイドフレーム２０、２１の対応する粘着帯６３と結合される。また、上述のウォーターベッドマットレス６０は、最も好ましくは複数の分離線で複数の特定面積の水袋格子６１に分けられて、両側の対応数量のタッピング部に対応する。
【００１８】
図４、５を参照されたい。上述の両側のタッピング部品５０は、伝動機構により水平方向位置に回転させられた時（図４）、両側のタッピング部品５０の偏心フランジ５２はウォーターベッドマットレスを未タッピングである。ただし、それが、垂直方向位置に回される時（図５）、両側のタッピング部品５０の偏心フランジ５２がウォーターベッドマットレス６０をタッピングする。両側のタッピング部品５０の偏心フランジ５２は、前後が反対方向に離間し、並びに、両側が相互に反対方向に対応設置され、これにより、両側のタッピング部品５０及び偏心フランジ５２は不断に回転制御を受ける時、反復し持続する連続波動タッピング作用を形成する。
【００１９】
図６に示される本考案の別の種類のタッピング部品７０の実施例中、同様に縦向き軸４０、４１（図５）を通す中心孔７１が設けられ、及び径方向に設けられたネジ孔７５によりネジ７４で縦向き軸４０、４１に固定される。該タッピング部品７０の外周の複数の反対方向の等間隔のタッピング部それぞれに偏心サポートフレーム７３が設けられ、タッピング用ローラの取り付けに供される。
【００２０】
図７、８に示される本考案の別の実施例では、上述の図６の実施例の構造のタッピング部品８０が多段式構成とされ、各多段式タッピング部品８０が中心孔８１を具えているほか、偏心サポートフレーム８３に位置するローラ８２が設けられ、その後、各タッピング部品８０に、外周が環状の弾性補助プッシュ部品９０が嵌合され、各補助プッシュ部品９０はいずれも開口９１を具え、及び、下辺偏心凸圧部９２を具えている。各補助プッシュ部品９０の外側に位置決め孔９３が設けられて、ボルト９４（図９）による上述のサイドフレーム２０、２１への位置決めに供される。図示される実施例中、上述の各多段式タッピング部品８０は最も好ましくは、その両端に対応する係止肩８４と凹部８５が設けられ、同時に、全体の軸方向のスリット８６により二つ折り可能とされ、並びに内側凸塊８７が、縦向き軸４０、４１の対応凹溝４７中に取り付けられる。図９中のウォーターベッドマットレス９０の両側にはリング６４が設けられて、係止具６５に位置決めされる。
【００２１】
図１０に示されるさらに一種のタッピング状態にあって、両側のタッピング装置の縦向き軸４００、４１０は多角形断面に設けられ、並びにタッピング部品８００に多角形中心孔８１０が設けられ、タッピング部品８００とウォーターベッドマットレス６０の間に、対応数量の弾性補助プッシュ部品９００が設けられ、この補助プッシュ部品９００に上開口を具えた半リング状が採用され、並びに同様に、下辺偏心凸圧部９２０が設けられて、制御を受けて下向きにウォーターベッドマットレス６０をタッピングする。
【００２２】
図１１は別のウォーターベッド構造を示し、その両側のサイドフレーム２００、２１０に下向きに複数のフットフレーム２２２が設けられ、及び、内側に向けて同一底板２２０が設けられ、その一端に制御箱１００が接続され、別端が外向きに延伸され、枕２２１の固定に供され、両側のサイドフレーム２００、２１０に全体の保護カバー２７０が取り付けられる。
【００２３】
本考案は上述の構造により、使用者が仰向け或いはうつ伏せにウォーターベッドマットレス６０に寝る時、制御スイッチセットを起動して両側のタッピング部品５０、７０、８０を回転させ、ウォーターベッドマットレス６０に反復持続振動と波動を形成させ、主動的に使用者の筋肉及び皮膚と関係身体部分例えば腹部、臀部、背部、腿部及び胸部などに有効な運動を形成させ、脂肪を消耗させる振動マッサージ効果を達成する。
【図面の簡単な説明】
【００２４】
【図１】本考案の好ましい実施例の平面図である。
【図２】図１の主体の立体構造図である。
【図３】図２の局部部品拡大図である。
【図４】図１の横断面拡大図である。
【図５】図４のタッピング動作状態図である。
【図６】本考案の別のタッピング部品の実施例図である。
【図７】図６の本考案の別の一種のタッピング部品の実施例図である。
【図８】図７の本考案の装置の分解図である。
【図９】図７の実施例のタッピング動作状態図である。
【図１０】図９の本考案のさらに一種のタッピング動作状態図である。
【図１１】本考案の別の実施例の立体図である。
【符号の説明】
【００２５】
１０  制御箱      １１  箱蓋        １２  ネジ孔
１３  電源線      １４  電源スイッチ  １５  タイマー
１６  調速器      １００  制御箱
２０、２１  サイドフレーム
２２  底板        ２３  端板          ２４  ボルト
２５  貫通孔      ２６  サポートボード  ２７  保護カバー
２８  ヒンジ      ２９  サポートロッド
２００、２１０  サイドフレーム          ２２０  底板
２２１  枕        ２２２  フットフレーム    ２７０  保護カバー
３０  電動機      ３１、３３  プーリ
３２  ベルト      ３４  横向き軸
３５、３６  歯車
４０、４１  縦向き軸
４２、４３  伝動歯車
４４、４５  半軸
４６  軸受        ４７  凹溝
４００、４１０  縦向き軸
５０  タッピング部品
５１  中心孔      ５２  偏心フランジ
５３  ネジ孔      ５４  ネジ
６０  ウォーターベッドマットレス          ６１  水袋格子
６２、６３  粘着帯
６４  リング      ６５  係止具
７０  タッピング部品        ７１  中心孔    ７２  ローラ
７３  偏心サポートフレーム  ７４  ネジ      ７５  ネジ孔
８０  タッピング部品        ８１  中心孔    ８２  ローラ
８３  偏心サポートフレーム  ８４  係止肩    ８５  凹部
８６  スリット              ８７  凸塊      ８００  タッピング部品
８１０  中心孔
９０  補助プッシュ部品      ９１  開口
９２  偏心凸圧部        ９３  位置決め孔    ９４  ボルト
９００  補助プッシュ部品    ９２０  偏心凸圧部
【図１】
0003116868.tif 000003
【図２】
0003116868.tif 000004
【図３】
0003116868.tif 000005
【図４】
0003116868.tif 000006
【図５】
0003116868.tif 000007
【図６】
0003116868.tif 000008
【図７】
0003116868.tif 000009
【図８】
0003116868.tif 000010
【図９】
0003116868.tif 000011
【図１０】
0003116868.tif 000012
【図１１】
0003116868.tif 000013